(57)【特許請求の範囲】
【請求項１】
複数のパートから成り、二人の演奏者の夫々に演奏をガイドするのに用いられるガイド生成用データを第１及び第２のパートの夫々に含む曲データを記憶している記憶手段と、
上記記憶手段から曲データを読み出す読出し手段と、
二人演奏モードを設定すると共に、二人の演奏者の夫々に対する演奏ガイドの進行モードを設定するモード設定手段と、
上記モード設定手段による二人演奏モードの設定に応じて、上記読出し手段により読み出された曲データの第１及び第２のパートの夫々に含まれるガイド生成用データに基づき、二人の演奏者の夫々に対して、上記モード設定手段により設定された演奏ガイドの進行モードに従い、演奏をガイドする第１及び第２のガイド情報を生成する情報生成手段と、
上記情報生成手段により生成された第１及び第２のガイド情報を、演奏をガイドする夫々の演奏者に対応させた色で、視覚的に表示するガイド表示手段と
を具備することを特徴とする電子鍵盤楽器。
【発明の詳細な説明】
【０００１】
【発明の属する技術分野】
この発明は、簡単な曲データを用いて、例えば、二人等の複数人で、楽しく弾くことができる電子鍵盤楽器に関する。
【０００２】
【従来の技術】
従来、一人で弾くための「ＳＯＮＧ」と呼ばれる曲データを搭載し、この曲データに対応するレッスン機能を備える電子鍵盤楽器があるが、初心者にとっては、鍵盤操作が難しく、楽しめるに至るには或る程度の技量が必要であった。
【０００３】
【発明が解決しようとする課題】
この発明は、このような従来手法の弱点を補うべく、システムに用意される曲データを１本指などで弾けるように簡単化すると共に、このような曲データに基づいて、複数人の演奏者、例えば、二人の演奏者が、易しく弾くことができるようにし、しかも、バックを自動伴奏で行って演奏効果を盛り上げることができる電子鍵盤楽器を提供することを目的とする。
【０００４】
【課題を解決するための手段】
この発明の主たる特徴に従うと、複数のパートから成り、二人の演奏者の夫々に演奏をガイドするのに用いられるガイド生成用データ（ＭＲ，ＭＬ；ＦＲ，ＦＬ）を第１及び第２のパート（例えば、左手及び右手パート）の夫々に含む曲データ（Ａ２，Ｂ２）を記憶している記憶手段（２，１２；段落［００２２］，［００３５］，［００３８］〜［００４２］：図５，図６右欄）と、記憶手段（２，１２）から曲データを読み出す読出し手段（Ｑ２：図１２）と、二人演奏モード（「二人モード」）を設定すると共に、二人の演奏者の夫々に対する演奏ガイド（鍵盤ガイドや音符表示ガイド）の進行モード（Ａ〜Ｃモード）を設定するモード設定手段（Ｐ１１，Ｐ５２→Ｐ５３，Ｐ５５→Ｐ５７→Ｐ５８，Ｐ６２→Ｐ６４→Ｐ６５；段落［００５４］〜［００６２］：図９〜図１１）と、モード設定手段による二人演奏モードの設定に応じて（Ｑ３→ＹＥＳ）、読出し手段（Ｑ２）により読み出された曲データの第１及び第２のパートの夫々に含まれるガイド生成用データに基づき、二人の演奏者の夫々に対して、モード設定手段により設定された演奏ガイドの進行モードに従い、演奏をガイドする第１及び第２のガイド情報（鍵盤ガイド情報、音符表示ガイド情報）を生成する情報生成手段（１４，１５，Ｑ３，Ｑ１０〜Ｑ１２；段落［００２３］〜［００２５］，［００３５］，［００４２］，［００５０］，［００６５］，［００６９］，［００７０］：図１，図５，図６，図１２，図１３）と、情報生成手段（１４，１５，Ｑ３）により生成された第１及び第２のガイド情報を、演奏をガイドする夫々の演奏者に対応させた色（例えば、右側演奏者には「黄色」、左側演奏者には「緑色」）で、視覚的に表示するガイド表示手段（Ｑ４，Ｑ９；段落［００２９］，［００３４］，［００６５］：図３，図４，図１２）とを具備する電子鍵盤楽器が提供される。なお、括弧書きは、理解の便のために付記した実施例の対応する参照記号、用語乃至箇所等を示す。
【０００５】
〔発明の作用〕
この発明の主たる特徴による電子鍵盤楽器では、鍵盤演奏や自動演奏を行うために、複数のパートから成る曲データが用いられ、第１及び第２のパート（例えば、右手及び左手パート）には、右側及び左側の二人の演奏者の夫々に演奏をガイドするのに用いられるガイド生成用データ（ＭＲ，ＭＬ；ＦＲ，ＦＬ：図６右欄）を含む曲データ（Ａ２，Ｂ２）が用意される。また、この電子鍵盤楽器で設定し得る演奏モードには、二人の演奏者に演奏のガイドをする二人演奏モード（「二人モード」）があり、演奏ガイド（鍵盤ガイドや音符表示ガイド）の進行モードには、通常進行モード（Ａモード）、ＡｎｙＫｅｙモード（Ｂモード）、確認進行モード（Ｃモード）などがある。曲データに従って鍵盤演奏や自動演奏を行うときに、二人演奏モードが設定され、二人の演奏者の夫々に対する演奏ガイドの進行モードが設定されると、曲データの第１及び第２のパートの夫々に含まれるガイド生成用データに基づいて、右側及び左側の二人の演奏者の夫々に対して、設定された演奏ガイドの進行モードに従い、演奏をガイドする第１及び第２ガイド情報（鍵盤ガイド情報、音符表示ガイド情報）が生成され、各ガイド情報は、夫々の演奏者に対応させた色（例えば、右側演奏者には「黄色」、左側演奏者には「緑色」）で視覚的に区別して表示される。従って、この発明によれば、二人演奏モードにおいて、右側及び左側の二人の演奏者の夫々に演奏ガイドの進行モードを設定することができ、設定された演奏ガイドの進行モードに従って夫々の演奏者（ユーザ）の演奏を的確にガイドすることができると共に、右側及び左側の各演奏者に対応する色で演奏ガイドを正確に指示することができ、各演奏者は、異なる色で表示される夫々のガイド情報に従って易しく弾くことができる。
【０００６】
なお、ガイド情報の表示には、例えば、色付きランプの点灯、表示器（ＬＣＤなど）の表示パターンなどが用いられる。第１及び第２のガイド情報は、楽譜ガイドや運指ガイドを行う際に、演奏をガイドする夫々の演奏者に対応させて表示器に並べて表示すると、色だけでなく、表示位置によっても演奏ガイドの対象となる演奏者が分かり、二人の演奏者の物理的位置に応じた的確なガイド指示を実現することができる。また、表示器へのガイド情報の表示には、互いに表示態様を異ならせて視覚的直感的に区別がつく図柄や文字を用いることが好ましい。
【０００７】
さらに、演奏モードには、二人演奏モードに対して、曲データの右及び左パートを右手及び左手に対応させる通常の一人演奏モード（「一人モード」）を備えることができ、一人演奏モードでは、ガイド情報を右手及び左手に対応した色で視覚的に区別して表示したり右手及び左手のガイド情報を並べて物理的位置に対応して表示する。
【０００８】
また、難易度に関する別の観点から、これらの演奏モードに標準モードや初心者モードを用意しておき、演奏者の習熟度に応じた的確な押鍵ガイド又は楽符（音符表示）ガイドを指示することができる。この場合、初心者モードのために、特定の１本の指を指定する運指ガイド情報を曲データに用意しておくことができる。例えば、特定の１本の指（典型例としては、人差指）で弾けるように極端に簡単化された曲データを用意しておき、演奏者により初心者モードが指示されると、この曲データに基づいて１本指を指定する運指ガイド情報を表示し、バックを伴奏パートの自動演奏で補い演奏を盛り上げることができる。このように、１本指で弾ける曲データを電子鍵盤楽器に搭載することにより、初心者は、一本の指で固定して鍵盤を弾きながら、リラックスして演奏を楽しむことができる。また、一本指で弾けるように曲データを簡単化しているので、その分曲データのポリホニック数を減らすことができる。
【００１５】
【発明の実施の形態】
以下、図面を参照しつつ、この発明の好適な実施例を詳述する。なお、以下の実施例は単なる一例であって、この発明の精神を逸脱しない範囲で種々の変更が可能である。
【００１６】
〔ハードウエア構成〕
図１は、この発明の一実施例による電子鍵盤楽器のハードウエア構成を示すシステムブロック図であり、図２は、この電子鍵盤楽器のパネル面の一構成例を示す。この電子鍵盤楽器のシステムは、図１に示すように、中央演算処理装置（ＣＰＵ）１、読出専用メモリ（ＲＯＭ）２、ランダムアクセスメモリ（ＲＡＭ）３、タイマ４、演奏操作子装置５、操作パネル装置６、表示装置７、音源部８、ＤＳＰ（ディジタル信号処理装置）回路９及びサウンドシステム１０などを備え、これらの装置１〜１０は、バス１１を介して互いに接続されている。
【００１７】
所定プログラムを実行するＣＰＵ１、実行されるプログラムを記憶するＲＯＭ２、ワーキングメモリとして機能するＲＡＭ３、及び、プログラムの実行中の時間を計測するタイマ４は、信号処理システムを構成する。すなわち、システム全体を制御するＣＰＵ１は、タイマ４によるクロックを利用し電子鍵盤楽器制御プログラムに従って種々の制御を行い、特に、演奏ガイドや自動演奏を進行させる処理を中心的に遂行する。ＲＯＭ２には、このシステムを制御するための電子鍵盤楽器制御プログラムが記憶されており、電子鍵盤楽器制御プログラムには、基本的な情報処理と共に、各種制御プログラム及びこれらの処理に付随する各種テーブル及び各種データが含まれる。また、ＲＡＭ３には、プログラムを実行するに必要な各種レジスタ、フラグなどを含み、処理に際して必要なデータが記憶される。
【００１８】
演奏操作子装置５は、図２に示すように、主演奏操作子として鍵盤ＫＢを備えるほか、図示しないが、補助演奏操作子としてフットスイッチなどの各種外部操作子を備え、これらの演奏操作子により、システムに対してリアルタイムに演奏指示を行う。鍵盤ＫＢは、その操作により対応する楽音の発音を指示し、また、外部操作子のフットスイッチは、サスティンなどの指示を行うことができる。
【００１９】
操作パネル装置６は、図２に示すように、各種パネル設定操作子ＭＮを備え、表示装置７と共にパネル設定システムを構成し、表示装置７の援助の下で、この電子鍵盤楽器システムの種々の設定（「パネル設定」）を行うのに用いられる。これらパネル設定操作子ＭＮの操作により、例えば、自動演奏を選択設定したり、音色を変更させたり、ガイドを設定させたり、或いは、演奏の準備することができる。
【００２０】
表示装置７は、図２に示すように液晶表示器（ＬＣＤ）などのディスプレイＤＰを備えると共に、各種インジケータ／ランプ（図示せず）を備え、これらディスプレイＤＰ又はインジケータ／ランプによりシステムの種々の設定状態を確認することができる。また、ディスプレイＤＰの表示画面には、パネル設定の後、鍵盤ＫＢなどの演奏操作子による演奏が開始されてからは、演奏情報をガイド表示することができる。
【００２１】
音源部８には、順次、発生される楽音信号に各種効果を与えるＤＳＰ回路９、及び、ＤＡＣ（デジタルアナログコンバータ）やスピーカＳＰ（図２）を備えたサウンドシステム１４が接続され、これらにより発音システムが構成される。この発音システムによって、演奏操作子装置５から指示される演奏データや、ＲＯＭ２、ＲＡＭ３などから読み出される曲データに応じて、楽音を発音又は再生することができる。すなわち、音源部８にて、曲データや演奏データに応じて複合波形データをピッチ変換し、ＤＳＰ回路９にて、複合波形データを基に所望の効果を付与した楽音信号を形成し、サウンドシステム１４にて、アナログ化した後アンプで増幅してスピーカＳＰを介して発音する。
【００２２】
この電子鍵盤楽器システムでは、外部記憶装置１２や、運指ガイド部１３、音符表示ガイド部１４、鍵盤ガイド部１５などがバス１１に接続される。外部記憶装置１２は、種々の曲データや各種制御プログラムを記憶することができ、これには、ハードディスク（ＨＤ）や、コンパクトディスク・リード・オンリィ・メモリ（ＣＤ−ＲＯＭ）やフロッピー（登録商標）ディスク（ＦＤ）等の記憶媒体が用いられる。例えば、図２に示されるＦＤ挿入口ＯＰからＦＤをシステムに挿着することができる。外部記憶装置１２やＲＯＭ２に記憶されている自動演奏の曲データには、パート毎に自動演奏用データ（楽音指示データ）や運指データが含まれ、特定の楽曲については、複数種類の曲データが用意されている。なお、自動演奏用データのみから成り、運指データが記憶されていない曲データについては、一定の演奏条件から運指データを生成することが可能である。
【００２３】
運指ガイド部１３、音符表示ガイド部１４及び鍵盤ガイド部１５は、ガイドシステムを構成し、曲データに基づいて、それぞれ、運指ガイド情報、音符表示ガイド情報及び鍵盤ガイド情報を生成する。鍵盤ガイド部１５は、鍵盤ＫＢの近傍又は内部に設けられた単色又は複数色のガイドランプＧＬを備え、自動演奏の進行に従って曲データを先読みしたデータによって、対応するガイドランプＧＬを光らせ、これからどのキーを操作すべきかを演奏者に表示するのに用いられる。
【００２４】
ガイドランプＧＬは、図２に示す例では、鍵盤ＫＢの近傍に設けられ、ＬＥＤなどの発光素子を用いて複数色の発光が可能である。なお、ガイドランプ（ＬＥＤ）ＧＬの発光制御は、自動演奏される曲データの鍵盤演奏パートに対応する特定のチャンネルを指定すると、当該チャンネルの楽音指示データに基づいて、演奏すべき演奏操作子（鍵盤ＫＢの各鍵）の位置を示すガイドランプＧＬが点灯することにより、押鍵位置を演奏者に指示する。この場合、後述するように、複数色の発光が可能となるようにガイドランプＧＬを構成することにより、ランプの発光色によって右手と左手及びプレイヤーの区別が付くようにすることが好ましい。また、この発光色については、微妙な色合いを出すことで、使用すべき理想的な指についても分かるようにすることができる。
【００２５】
音符表示ガイド部１４は、曲データ中の演奏すべき楽譜部分を表示するのに用いられ、鍵盤ガイド部１５の制御に同期して駆動される。運指ガイド部１３は、演奏操作子（鍵盤ＫＢの各鍵）を操作する理想の指使いを表示するもので、これも鍵盤ガイド部１５の制御に同期して駆動される。
【００２６】
なお、この電子鍵盤楽器システムは、図示しないが、他の機器とのデータ授受のために、データバス１１に接続されるＭＩＤＩインターフェイス（Ｉ／Ｆ）或いは汎用の通信インターフェース（Ｉ／Ｆ）などを備える。これにより、インターフェースの接続端子ＴＭを介して他の楽器などの外部ＭＩＤＩ機器と曲データや演奏データなどを取り込んだり出力することができる。或いは、サーバコンピュータ等からローカルエリアネットワーク（ＬＡＮ）やインターネット、電話回線等の通信ネットワーク及び接続端子ＴＭを通じて制御プログラムや曲データなどを外部記憶装置１２にストアすることもできる。
【００２７】
〔ガイドシステムの具体例〕
この発明の一実施例による電子鍵盤楽器システムにおいては、演奏操作子による演奏が開始されると、運指ガイド部１３及び音符表示ガイド部１４によるガイドの内容が、図１に破線で示すように、表示装置７のディスプレイＤＰの画面上に表示され、鍵盤ガイド部１５によるガイドの内容は、図２のパネル面構成例のように、ガイドランプＧＬにより表示される。
【００２８】
図３は、この発明の一実施例による電子鍵盤楽器システムにおける鍵盤ガイド機構の構成例を示す。このシステムの鍵盤ガイド部１５のガイド機構は、例えば、図２のようなガイドランプＧＬで構成され、各ガイドランプＧＬは、図３（ａ）のガイドランプ断面図に示すように、ランプ収容体の内部に２つの発光素子（例えば、ＬＥＤ）Ｇｒ，Ｙｅを設置し、各発光素子により、「一人モード」のときに押鍵すべき左右の手をそれぞれ指示したり、或いは、「二人モード」のときに押鍵（操作）すべき左側の演奏者（Ｂ）の手及び右側の演奏者（Ａ）の手をそれぞれ指示する。
【００２９】
図示の例では、左側及び右側に緑色の発光素子（ＬＥＤ）Ｇｒ及び黄色の発光素子（ＬＥＤ）Ｙｅが並置される。各発光素子（ＬＥＤ）Ｇｒ，Ｙｅは、鍵盤ガイド部１５のガイド制御によって緑色発光／黄色発光／消灯が制御される。例えば、「一人モード」では、右手使用を示す場合は、右側の黄色発光素子（ＬＥＤ）Ｙｅを発光させ、左手使用を示す場合には、左側の緑色発光素子（ＬＥＤ）Ｇｒを発光させ、押鍵すべき手が位置と色で分かるようにする。また、「二人モード」では、右側の演奏者（Ａ）に対しては、右側の黄色発光素子（ＬＥＤ）Ｙｅを発光させ、左側の演奏者（Ｂ）には、左側の緑色発光素子（ＬＥＤ）Ｇｒを発光させ、押鍵すべき演奏者が位置と色で分かるようにする。図３（ｂ）のガイドランプ正面（レンズ）図は、右側に設置された黄色発光素子（ＬＥＤ）ＹｅがガイドランプＧＬの前面レンズを通して光っている様子を表わしている。
【００３０】
なお、ガイドランプＧＬを液晶表示装置（ＬＣＤ）及びバックライトで形成することにより、運指を液晶表示装置で表示させると共にバックライトで押鍵位置乃至手を指示するように構成してもよい。例えば、液晶表示装置を構成する液晶表示素子のうち、押鍵位置にある液晶表示素子を光らせて所望の指番号を表示すると共に、この液晶表示素子を光らせるバックライトの色を、操作すべき手（左右）に応じて変える方法をとってもよい。
【００３１】
この発明では、鍵盤など演奏操作子による演奏が始まると、表示装置のディスプレイを、演奏のためのガイド情報を表示するガイド表示手段として用い、ディスプレイ上に手形の図柄や楽譜、鍵盤などを表示して、運指ガイド、音符表示（楽譜）ガイド或いは鍵盤ガイドなどを実行することができる。図４は、この発明の一実施例による電子鍵盤楽器システムにおいて「二人モード」が選択された場合のディスプレイ表示画面例を示す。
【００３２】
この表示例では、音符表示（楽譜）ガイド及び運指ガイドを行うために、現在押鍵操作すべき音符に加えて、次に操作すべき音符及び更に次（「次の次」）に操作すべき音符をも楽譜表示すると共に、現在の押鍵操作に使うべき指の図柄を表示し、音符表示（楽譜）ガイド及び運指ガイドを実行することができる。図示の例では、「二人モード」の場合、右側の演奏者（Ａ）のための楽譜及び運指情報を画面の右側に表示し、左側の演奏者（Ｂ）のための楽譜及び運指情報を画面の左側に表示する。なお、「二人モード」の場合で通常の初心者モードのときには、図４左下の図柄に示すように、左側演奏者（Ｂ）の運指情報は右手に対応させ、「右手・右手」運指パターンと呼ばれる運指ガイドを表示する。
【００３３】
また、図示しないが、「一人モード」の場合には、図４の配置を流用して、演奏者の右手のための楽譜及び運指情報を画面の右側に表示し左手の楽譜及び運指情報を画面の左側に表示してもよいし、通常の楽譜配置に従い右手及び左手の楽譜情報を上下に配置すると共に、右手及び左手の運指情報を右側及び左側に配置してもよい。なお、「一人モード」においては、特に指定がなければ、左側の運指情報を演奏者の左の手形図柄で表わす「右手・左手」運指パターンで運指ガイドを行う。
【００３４】
音符表示（楽譜）ガイドのために表示される楽譜情報や、運指ガイドのために表示される運指情報は、所定の表示色で演奏者に対して正確に伝達する。この場合、例えば、図４に示すように、鍵盤ガイドのためのガイドランプＧＬの表示色に合わせて、右側の音符群や操作指を黄色で表示し左側の音符群や操作指を緑色で表示する方法をとることができる。なお、運指情報の表示色は、上述の例に拘わらず、左右で微妙な色合いを出して、操作すべき理想的な指が分かるようにしてもよい。
【００３５】
図５は、この発明の一実施例による電子鍵盤楽器システムで用いられる楽音指示及び運指データを含む曲データの標準的な構成例を示す。このシステムで利用される曲データは、図５に示すように、主として、右パート及び左パート用楽音指示データＭＲ，ＭＬ並びに右パート及び左パート用運指データＦＲ，ＦＬ（ＦＬ１，ＦＬ２）から成り、アンサンブルの場合には、その他パート（伴奏パートなど）の楽音指示用データＡＤが含まれる。各楽音指示データＭＲ，ＭＬは、鍵盤ガイド及び音符表示ガイドのための情報を生成したり、楽音信号を発生するのに用いられ、各運指データＦＲ，ＦＬ（ＦＬ１，ＦＬ２）は、運指ガイドのための情報を生成するのに用いられる。
【００３６】
左パート用運指データＦＬは、第１左パート用運指データＦＬ１及び第２左パート用運指データＦＬ２の２種類が用意され、演奏者数に応じて使用するデータが切り換えられる。例えば、演奏補助モード（運指ガイド有りのモード）がオンのときに、「一人モード」が設定されている場合は、第１左パート用運指データＦＬ１が用いられ、「二人モード」が設定されている場合には、第２左パート用運指データＦＬ２が用いられる。ここで、第２左パート用運指データＦＬ２は、左側の演奏者（Ｂ）の右手演奏に対する運指情報であり、予め用意されていない場合は、運指データ作成ソフトウエアによりシステム内で作成することができる。
【００３７】
ここで、この電子鍵盤楽器システムのガイド機能を図５を用いて端的に説明すると、曲データ（なお、「曲データ」は、このように、「楽音指示データ」の意味で狭義に使用されることがある。）ＭＲ，ＭＬに従って鍵盤演奏や自動演奏を行うに際し、右及び左パートの曲データＭＲ，ＭＬに対するガイド情報（運指データＦＲ，ＦＬ１・ＦＬ２）が曲データの進行に従って表示され、ガイド情報の内容は、演奏モードに応じて変更される。例えば、演奏モードが「一人モード」から「二人モード」に変更されると、右及び左パートの曲データＭＲ，ＭＬを右側演奏者（Ａ）及び左側演奏者（Ｂ）に対応させて、左手パート用ガイド情報ＦＬ１から左側演奏者（Ｂ）用ガイド情報ＦＬ２に変更する。演奏モードには、後述するように、難易度に関する「標準モード」及び「初心者モード」もあり、初心者モードが設定された場合は、運指ガイド情報ＦＬ（ＦＬ１，ＦＬ２）は、特定の１本指（例えば、人差指）をガイド指示する。
【００３８】
この発明の一実施例においては、同一楽曲に対して人数モード及び難易度に応じた複数種類の曲データを用意しておくことができる。図６は、この電子鍵盤楽器システムにおいて利用可能な同一曲に対する曲データの一例を示す。この例では、同一の楽曲に対し、人数モード及び難易度に応じて複数の曲データＡ１〜Ｂ２が用意される。これらの曲データは、難易度から通常曲データＡ１，Ａ２及び初心者曲データＢ１，Ｂ２に分けられ、演奏者数から一人モード用曲データＡ１，Ｂ１及び二人モード用曲データＡ２，Ｂ２に分けられる。
【００３９】
通常曲データＡ１，Ａ２は、当該楽曲のオリジナル又は当該楽曲を標準的に演奏ができる人向けに編曲された右パート用及び左パート用楽音指示データＭＬ，ＭＲを有する。このうち、一人モード用通常曲データＡ１は、演奏者の両手に標準的な運指を指示する右パート用及び左パート用運指データＦＲ，ＦＲ１を有し、二人モード用通常曲データＡ２は、二人の演奏者（Ａ，Ｂ）の右又は左手に標準的な運指を指示する各パート用運指データＦＲ，ＦＲ２を有する。
【００４０】
一方、初心者曲データＢ１，Ｂ２は、演奏が簡単になるように当該楽曲を編曲した各パート用楽音指示データＭＬ，ＭＲを有する。このうち、一人モード用初心者曲データＢ１は、演奏者の両手の特定の一本指（典型的には、人差指）のみの運指を指示する各パート用運指データＦＲ，ＦＲ１を有し、二人モード用初心者曲データＢ２は、各演奏者の利き手（通常は右手）の特定の一本指（人差指）のみの運指を指示する各パート用運指データＦＲ，ＦＲ２を有する。このように初心者曲データＢ１，Ｂ２の運指データＦＲ（ＦＲ１，ＦＲ２）が特定の指のみを指示する理由は、初心者は、指一本で弾くことが多いので、指一本の表示で十分にガイドすることができることによる。
【００４１】
このように、人数モード及び難易度に対応して、同一楽曲に複数種類の曲データを用意しておくと、演奏しようとする種類の曲データをユーザが選択したとき、当該曲データのもつ属性（人数モード、難易度）によって、システムの人数モードを「一人モード」又は「二人モード」に自動的に切り替えたり、システムの難易度モードを「標準モード」又は「初心者モード」に自動的に切り替えることができる。なお、人数モード、難易度のような属性は、「モード推奨データ」として、各曲データに付記しておくことができる。
【００４２】
例えば、二人用で人差指のみの運指表示で演奏される二人モード用初心者曲データＢ２をユーザが選択した場合、ディスプレイＤＰ上の運指ガイドの右手形の表示は、右側及び左側共に、人差指を点灯させるように表示する。このように表示すると、曲の進行に従って運指ガイドの表示に変化をつける必要がないので、各指に対する特別の運指用データを必要としない。また、初心者曲データＢ１，Ｂ２の楽音指示データ（鍵盤ガイドや発音演奏に用いられるデータ）ＭＲ，ＭＬのみがあればよいので、例えば、一人モード用初心者曲データＢ１とデータを共用（使い回し）も可能となる。
【００４３】
〔メイン処理〕
図７は、この発明の一実施例による電子鍵盤楽器システムで実行される処理全体を表わすメイン処理のフローチャートである。最初のステップＳ１では、電源投入により所定プログラムの実行を開始してＲＡＭの内容をクリアすると共に初期設定を行いシステムの初期化を行う。次のステップＳ２では、パネル設定処理が行われ、パネル操作子の操作状況を受け付け機器の設定がなされる。
【００４４】
続いて、ステップＳ３では、自動演奏の進行とガイド処理などの「特殊処理」が実行され、次のステップＳ４において、自動演奏で読み出した曲データや演奏者（ユーザ）が鍵盤ＫＢの押鍵で指示した演奏データに基づく楽音の発音処理を行う。そして、最後のステップＳ５でその他処理（システムの所望の動作に必要なその他の処理）を行い、メイン処理の終了指示があるまでステップＳ２〜Ｓ５の処理が繰り返し実行される。
【００４５】
〔パネル設定処理〕
図８〜図１１は、メイン処理のステップＳ２におけるパネル設定処理の一例を表わすフローチャートである。このパネル設定処理では、操作パネル装置６上のパネル操作子ＭＮの操作に基づく自動演奏や効果などの各種設定を行う。この処理フローの最初のステップＰ１では、パネル操作子ＭＮが操作され設定入力があったか否かの判定を行い、パネル設定の入力がなければ、メイン処理のステップＳ３にリターンする。また、パネル設定が入力されれば、既存の設定を変更するステップＰ２以下のパネル設定フローに入る。
【００４６】
ステップＰ２では、入力された項目が自動演奏に関連する機能の選択（設定、指示等を含む）であるか否かを判定し、自動演奏関連機能の選択でなければ、ステップＰ３にて、パネル設定における自動演奏関連機能以外の指定された設定を変更した後、メイン処理のステップＳ３にリターンする。一方、自動演奏関連機能の選択であれば、入力された条件に合わせて、ステップＰ４以下の処理を実施する。
【００４７】
ステップＰ４では曲データの選択であるか否かを判定し、曲データが選択されて曲の変更があれば、ステップＰ５で、現在設定されている曲データを選択された曲データに設定変更する。なお、この電子鍵盤楽器システムの電源が投入された時点では、前回選択した曲目が設定されている。また、曲データは、システムに内蔵されたメモリ（ＲＯＭ２や外部記憶装置１２のＨＤ等）や、ＦＤ等のメディアなどから供給することができる。
【００４８】
ステップＰ５の処理後は更にステップＰ６に進み、選択された曲データにモード推奨データ（例えば、「初心者二人用推奨」というようなもの）が含まれているか否かを判定する。ここで、このようなモード推奨データが入っているときは、ステップＰ７において、モード推奨データの内容に対応するモード（例えば、「二人モード」且つ「初心者モード」）に自動的に設定する。これにより、ステップＰ４でユーザにより選択された自動演奏の曲データに応じて、人数モードや難易度モードを自動的に切り替えることができる。例えば、ユーザが二人で演奏できるように作成された運指データを有している二人モード用曲データＡ２，Ｂ２を選択したときは、鍵盤ガイドがオンに設定されていれば（後述：ステップＰ５５，Ｐ５７）、当該曲データＡ２，Ｂ２のモード推奨データに従って、鍵盤ガイドが「二人モード」で行われる。
【００４９】
なお、ステップＰ７での設定は、後述するガイド設定処理ルーチンのモード変更処理ステップＰ５２，Ｐ５３にて変更することができる。ステップＰ６でモード推奨データが入っていないと判定されたとき、及び、ステップＰ７の処理が終了した後は、メイン処理のステップＳ３にリターンする。
【００５０】
一方、曲の変更がないときは、ステップＰ４からステップＰ８（図９）に進み、チャンネル割当て変更の指示であるか否かを判定し、チャンネル割当て変更の指示があれば、ステップＰ９にて、鍵盤ＫＢに割り当てる曲データパートに対応する自動演奏のチャンネルを設定した上、メイン処理のステップＳ３にリターンする。このステップＰ９で設定したチャンネルに入っている楽音指示データによって、鍵盤ＫＢで演奏する音色が決定され、また、鍵盤ガイドや運指ガイドを行う際には、当該データに従って各ガイドが実施される。
【００５１】
チャンネル割当て変更の指示がないときは、ステップＰ８からステップＰ１０に進み、ガイド／運指機能の設定であるか否かを判定し、ガイド／運指機能の設定であれば、ステップＰ１１のガイド設定処理ルーチン（図１０及び図１１を用いて後で詳述する）によって、ガイド／運指機能の設定を実行した後、メイン処理のステップＳ３にリターンする。
【００５２】
ガイド／運指機能の設定がないときは、ステップＰ１０からステップＰ１２に進み、パネル操作子（６）中の再生ボタンの押圧による再生開始の指示であるか否かを判定し、再生開始の指示があれば、ステップＰ１３において、設定した曲データを記憶装置から読み出し演奏データを生成し、ステップＰ５，Ｐ７，Ｐ９，Ｐ１１での設定に応じて自動演奏を開始する処理を行った上、メイン処理のステップＳ３にリターンする。
【００５３】
また、再生開始の指示でもないときは、ステップＰ１２からステップＰ１４に進み、停止の指示であるか否かを判定する。ここで、停止指示であれば、ステップＰ１５にて、再生中の自動演奏を停止する処理を行い、また、停止指示でないときは、ステップＰ１６にて、曲を進めるなど、その他自動演奏関連の指示された機能を実施して、メイン処理のステップＳ３にリターンする。
【００５４】
図１０及び図１１は、パネル設定処理のステップＰ１１で実行されるガイド設定処理ルーチンのフローチャートを示す。この処理ルーチンの初めのステップＰ５１では、人数モードや難易度の選択があったか否かを判定し、これらの選択があれば、ステップＰ５２で、（１）「一人モード」か「二人モード」のどちらかや、（２）「標準モード」か「初心者モード」のどちらかを、演奏者（ユーザ）に選択させる。そして、（１）人数モード及び（２）難易度の選択を受け付けると、ステップＰ５３において、選ばれたモードをこの電子鍵盤楽器システムに設定する。
【００５５】
ここで、（１）の人数モードについては、「一人モード」とは、鍵盤ＫＢの右手パート及び左手パートを共通に設定するものであり、「二人モード」は、右手パートと左手パートを異なるように設定可能とするものである。また、（２）の難易度については、「標準モード」では、標準的な運指データに従って運指ガイドが表示されるが、「初心者モード」が選択されたときは、「一人モード」や「二人モード」に関係せず、常に、人差指のみの運指ガイドの表示が行われる（初心者は、人差指一本で弾くことが多いので指一本の表示で十分）。
【００５６】
このように、ステップＰ５２では、（１）「一人モード」及び（２）「二人モード」の他に、さらに、（１）「通常モード」及び（２）「初心者モード」という難易度対応モードを設けているので、ユーザによって（２）「初心者モード」が選択された場合、運指ガイドの手形表示は、左右ともに人差指を点灯させるように運指表示することができる。
【００５７】
ステップＰ５１で人数モード及び難易度の選択がなかったとき、及び、ステップＰ５３の処理を終えたときは、ステップＰ５４に進んで、鍵盤ガイド（単に「ガイド」ともいう）の選択があったか否かを判定し、鍵盤ガイドの選択であればステップＰ５５に行き、メインとするパートについて鍵盤ガイドの設定入力を演奏者（ユーザ）から受け付ける。ここで受け付ける項目には、鍵盤ガイドの有無や鍵盤ガイドの進行の設定などがあり、鍵盤ガイドの有無の選択では、鍵盤ガイドを（１）行うか（「オン」）（２）行わない（「オフ」）かの選択を受け付ける。
【００５８】
また、鍵盤ガイドの進行の設定では、（１）鍵盤の操作に関係なく曲データの再生が行われ鍵盤ガイドも再生の流れに従って行なわれる「ガイドＡモード」（「通常進行モード」ともいう）、（２）鍵盤ＫＢの何れかの鍵が操作されたときに曲データの再生及び鍵盤ガイドが進行する「ガイドＢモード」（「ＡｎｙＫｅｙモード」ともいう）、或いは、（３）正確なキーオン操作に応じて曲データの再生及び鍵盤ガイドを進める「ガイドＣモード」（「確認進行モード」ともいう）の入力を受け付ける。
【００５９】
ステップＰ５５の鍵盤ガイド設定を受け付けた後は、ステップＰ５６にて、人数モード及び難易度設定ステップＰ５１〜Ｐ５３で「二人モード」が選択されているか否かを判定し、「二人モード」が選択されていれば、ステップＰ５７で、二人目の演奏者（左側の演奏者Ｂ）に対する鍵盤ガイドについても、ステップＰ５５と同様に入力を受け付ける。そして、これらの処理が終ると（即ち、「二人モード」が選択されずステップＰ５６で“ｎｏ”と判定されたとき及びステップＰ５７で二人目のユーザの鍵盤ガイド設定を受け付けた後は）、ステップＰ５８において、受付け入力された条件をこの電子鍵盤楽器システムに設定し、さらに、ステップＰ５９（図１１）に進む。
【００６０】
ステップＰ５９では、音符表示ガイド（単に「音符表示」ともいう）の選択があったか否かを判定し、音符表示ガイドの選択があれば、ステップＰ６０以下の処理に進み、音符表示画面を設定する。まず、ステップＰ６０では音符表示ガイドがオンであるか否かを判定する。すなわち、ステップＰ５４〜Ｐ５８の鍵盤ガイド設定処理により、「一人モード」のユーザ又は「二人モード」の少なくとも一人のユーザについて、鍵盤ガイドがオンに設定されていれば、ステップＰ６１に行き音符表示ガイドの有無のみについて設定入力を受け付ける。
【００６１】
一方、鍵盤ガイドがオン設定されていないときは、順次、ステップＰ６２〜Ｐ６４に行き、ステップＰ５５〜Ｐ５７の鍵盤ガイドの場合と同様に、音符表示ガイドについて種々の設定入力を受け付ける。例えば、ステップＰ６２では、ステップＰ５５と同様に音符表示ガイド設定入力を受け付け、次のステップＰ６３では、人数モード及び難易度設定ステップＰ５１〜Ｐ５３で「二人モード」が設定されていると判定されると、ステップＰ６４に行って、ステップＰ６２と同様に、二人目の音符表示ガイドの画面に関する設定入力を受け付ける。
【００６２】
そして、ステップＰ６１の受付け処理、ステップＰ６３の非「二人モード」判定及びステップＰ６４の処理の後は、ステップＰ６５に進み、ステップＰ６１，Ｐ６２，Ｐ６４で入力した内容でこの電子鍵盤楽器システムを設定する。なお、ステップＰ６２，Ｐ６４での音符表示ガイドの進行受付けにより、鍵盤ガイドの「ガイドＡモード」、「ガイドＢモード」又は「ガイドＣモード」に対応する音符表示ガイドの「表示Ａモード」（通常進行モード）、「表示Ｂモード」（ＡｎｙＫｅｙモード）又は「表示Ｃモード」（確認進行モード）が設定される。
【００６３】
ステップＰ５９で音符表示ガイドの選択がなかったと判定された後、或いは、ステップＰ６５の処理の後は、ステップＰ６６にて、運指ガイド（「運指表示」ともいう）の選択がなされたかを判定し、運指ガイドの選択がなければ、直ちに、メイン処理のステップＳ３にリターンする。また、運指ガイドの選択があれば、ステップＰ６７に行き、運指ガイドの有無（即ち「オン」又は「オフ」）の設定入力を受け付け、次のステップＰ６８で、受付け入力に応じて運指ガイドのオン／オフを設定した上、メイン処理のステップＳ３にリターンする。
【００６４】
〔「特殊処理」〕
図１２及び図１３は、メイン処理のステップＳ３における「特殊処理」の一例を表わすフローチャートである。この処理フローの第１ステップＱ１では、自動演奏がスタートしているか否か、すなわち、曲データが選択されておりパネル操作子（６）中の再生ボタンが押されているか否かを判定し、スタート状態であれば、ステップＱ２に行き、曲データを読み出し、対応する楽音データを生成する（音を鳴らすのは、メイン処理の次ステップＳ４）処理を行った上、ステップＱ３に行く。
【００６５】
ステップＱ３では、鍵盤ガイド又は楽譜表示ガイド機能が設定されているか否か、すなわち、鍵盤ガイド又は楽譜表示ガイドについて「一人モード」又は「二人モード」の少なくとも一方のモードで設定しているか否かを判定する。何れかのガイド機能が設定されているときは、ステップＱ４に行って、ガイドランプＧＬを光らせたり、或いは、音符表示ガイド用の楽譜を表示する処理を実行した後、ステップＱ５に進み、このような設定がないときは、直ちに、ステップＱ５に進む。なお、これらの処理は、ガイド機能が設定されているトラック（パート）全てについて行われる。
【００６６】
ステップＱ５では、運指ガイドの表示モードが設定されているか否かを判定し、これが設定されていればステップＱ６〜Ｑ９の運指情報生成処理フローを経た後、ステップＱ１０（図１３）に行き、設定されていなければ、直ちに、ステップＱ１０に行く。運指情報生成処理フロー（Ｑ６〜Ｑ９）の最初のステップＱ６においては、演奏する曲データ（又はガイドを行う曲データ）に所望の運指データが入っているか否かを確認し、運指データが入っていなければステップＱ７に進む。
【００６７】
すなわち、曲データに、元々運指データが全然入っていない場合、或いは、設定されているモードのものが入っていない場合〔例えば、曲データには、「一人モード」における右手用運指データ及び左手用運指データ（図５の第１左パート用運指データＦＬ１）はあるが、「二人モード」における右側ユーザの右手用運指データ及び左側ユーザの右手用運指データ（例えば、図５の第２左パート用運指データＦＬ２）が揃っていないときに、両側ユーザ共に右手用運指データを用いる「二人モード」が選択された場合〕には、ステップＱ７において、運指データ作成ソフトウエアを用いて、必要な運指データを作成する。
【００６８】
一方、曲データに所望の運指データが入っていればステップＱ８で運指データを読み出す。そして、ステップＱ７，Ｑ８の処理の後はステップＱ９に行き、ステップＱ８で読み出された運指データ或いはステップＱ７で生成された運指データに基づいて、表示装置７のディスプレイＤＰのガイド画面上に運指画像情報を表示する処理を行う。
【００６９】
続いて、ステップＱ１０（図１３）では、もう一度、鍵盤ガイドや楽譜表示ガイドの機能が設定されているか否かを判定し、これらのガイド機能が設定されていなければ、メイン処理のステップＳ４にリターンする。また、鍵盤ガイドや楽譜表示ガイドの機能が設定されているときは、ステップＳ１１にて、キーオン待機が設定されているか否かを判定する。すなわち、鍵盤ガイドの「ガイドＢモード」及び音符表示ガイドの「表示Ｂモード」（ＡｎｙＫｅｙモード）並びに鍵盤ガイドの「ガイドＣモード」及び音符表示ガイドの「表示Ｃモード」（確認進行モード）の何れかが設定されているかどうかの判定を行い、何れかモードが設定されていれば、ステップＱ１２に行き、設定されていなければ〔鍵盤ガイドの「ガイドＡモード」又は音符表示ガイドの「表示Ａモード」（通常進行モード）が設定されている〕、メイン処理のステップＳ４にリターンする。
【００７０】
ステップＱ１２では、設定されたとおりのキーオンがあるかどうかを判定し、設定された鍵盤ガイド又は音符表示ガイドのとおりに鍵盤ＫＢが操作されるまで、ステップＱ１２の判定を持続し、設定したとおりの鍵盤演奏があるまで以後の曲データの自動演奏を停止させる。そして、設定したとおりに鍵盤ＫＢが演奏されると、メイン処理のステップＳ４にリターンする。
【００７１】
〔ユーザ演奏入力処理〕
図１４は、この発明の一実施例による電子鍵盤楽器において実行されるユーザ演奏入力処理のフローチャートである。この処理プログラムは、図７〜図１３で説明した処理とは別に、比較的短い時間間隔の周期的なクロック割込みにより起動する。この処理フローの第１ステップＲ１では、演奏操作子装置５上の鍵盤ＫＢなどの演奏操作子の入力操作に何か変化があるか否かを検知し、演奏操作子入力の検知がなければ、このユーザ演奏入力処理を終了し、次のクロック割込みを待つ。一方、演奏操作子の入力を検知するとステップＲ２以下の処理に行く。
【００７２】
ステップＲ２では、検知した演奏操作子の変化が鍵盤ＫＢの新規のキーオンであるか否かを判断し、新規のキーオンであったときは、ステップＲ３で、当該鍵盤に割当てられた楽音の楽音信号を生成する処理を行った後、このユーザ演奏入力処理を終了する。新規のキーオンでないときは、ステップＲ４に進んで、演奏操作子の変化が鍵盤ＫＢのキーオフであるか否かを判断し、キーオフであったときは、ステップＲ５にて、対応する発音中の楽音を停止する制御を行った上、このユーザ演奏入力処理を終了する。また、キーオフでもなく、その他の演奏操作子に変化があったときは、ステップＲ６おいて、当該演奏操作子に割り当てられた機能に応じた処理を実行した上、このユーザ演奏入力処理を終了する。
【００７３】
〔種々の実施態様〕
以上、この発明による各種ガイド制御を一実施例に従って説明してきたが、実施形態は例示したものに限らない。例えば、鍵盤ガイドにバックライト付きＬＣＤを用いる場合、これをカラーＬＣＤとして複数の点灯表示色を自由に設定することができるようにしてもよい。
【００７４】
運指ガイドのディスプレイＤＰ上への表示については、「右手・左手」や「右手・右手」、「左手・左手」などの種々の運指パターンを切替え表示可能とするが、この場合、右左各手のガイド指の色を、それぞれ、自由に設定することができるようにするのが好ましい。また、右左の演奏者Ａ，Ｂに対する音符表示ガイドの色分けも、自由に設定することができるようにしてよい。
【００７５】
曲データの利用については、一人演奏モードにおいて、右パートのレッスン（演奏）では左パートの曲データ（楽音指示データ）を自動演奏（自動再生）し、左パートのレッスン（演奏）では、右パートの曲データ（楽音指示データ）を自動演奏（自動再生）するようにしてもよい。また、二人演奏モードにおいては、右側及び左側演奏者Ａ，Ｂにより、出音の定位を代えたり、１つの曲データ内にて、手動で、或いは、予め設定した小節で自動的に、受け持ちパートの切り替えを行うようにしてもよい。
【００７６】
パネル操作子については、右左の演奏者Ａ，Ｂで、それぞれ、音色やトランスポーズその他を、独立に設定できるようにしたり、演奏者Ａ，Ｂのどちらの設定を実施するかの切り替えスイッチを設けてもよい。
【００７７】
各種ガイド情報は、演奏者の熟達度・趣味・利き手などの個性や、演奏者の個性の組合せに応じて作成される必要がある。演奏者情報の作成や呼出しのため、例えば、ディスプレイの表示中から演奏者の名前を選択・入力することができるようにしてもよい。また、右左の演奏者Ａ，Ｂの名前を音声で録音したり、演奏者Ａ，Ｂの操作ガイダンスに、上述の方法でで入力された名前を音声で再生したり、演奏者Ａ，Ｂのアニメを表示・アニメに上記で入力された名前を表示するようにしてもよい。
【００７８】
初心者モードで用いられる一本指で弾ける曲データに関しては、二人演奏モードのカテゴリー名を設けてパネルに印刷したり、右左の演奏者Ａ，Ｂ用に別々のトラックに、１オクターブ、２オクターブ、３度、５度、６度、１０度と離れた音楽情報を用意してユニゾンを弾けるようにしたり、演奏者Ａ，Ｂ用に別々のトラックに、同じ音の繰返し、又は、１オクターブ乃至２オクターブ離れた同音名の繰返しパターンを用意して、かけあいをできるようにすることができる。
【００７９】
【発明の効果】
以上説明したように、この発明による電子鍵盤楽器では、第１及び第２のパートの夫々に、右側及び左側演奏者の夫々に演奏をガイドするのに用いられるガイド生成用データを含む曲データが用意され、二人の演奏者に演奏のガイドをする二人演奏モードを設定すると共に演奏者の夫々に対して演奏ガイドの進行モードを設定することができる。曲データに従い鍵盤演奏や自動演奏を行うに際して、二人演奏モードが設定され、演奏者の夫々に対して演奏ガイドの進行モードを設定されると、曲データの第１及び第２のパートの夫々に含まれるガイド生成用データに基づいて、右側及び左側の二人の演奏者の夫々に対して、設定された演奏ガイドの進行モードに従い、演奏をガイドする第１及び第２ガイド情報が生成され、各ガイド情報は、夫々の演奏者に対応させた色で視覚的に区別して表示される。従って、この発明によれば、二人演奏モードにおいて、右側及び左側の二人の演奏者の夫々に演奏ガイドの進行モードを設定することができ、設定された演奏ガイドの進行モードに従って夫々の演奏者（ユーザ）の演奏を的確にガイドすることができると共に、各演奏者に対応する色で演奏ガイドを正確に指示することができ、各演奏者は、異なる色で表示される夫々のガイド情報に従って易しく弾くことができる。
【図面の簡単な説明】
【図１】図１は、この発明の一実施例による電子鍵盤楽器のハードウエアシステム構成を示すブロック図である。
【図２】図２は、この発明の一実施例による電子鍵盤楽器のパネル面の一構成例である。
【図３】図３は、この発明の一実施例による電子鍵盤楽器におけるガイドランプの一構成例である。
【図４】図４は、この発明の一実施例による電子鍵盤楽器において二人モードが選択された場合の一表示例である。
【図５】図５は、この発明の一実施例による電子鍵盤楽器において利用される楽音指示及び運指データの標準的な構成例である。
【図６】図６は、この発明の一実施例による電子鍵盤楽器において利用可能な複数種類の曲データを説明するための図である。
【図７】図７は、この発明の一実施例による電子鍵盤楽器において実行されるメイン処理のフローチャートである。
【図８】図８は、この発明の一実施例による電子鍵盤楽器において実行されるパネル設定処理のフローチャートの一部である。
【図９】図９は、この発明の一実施例による電子鍵盤楽器において実行されるパネル設定処理のフローチャートの他部である。
【図１０】図１０は、この発明の一実施例によるパネル設定処理中のガイド設定処理ルーチンのフローチャートの一部である。
【図１１】図１１は、この発明の一実施例によるによるパネル設定処理中のガイド設定処理ルーチンのフローチャートの他部である。
【図１２】図１２は、この発明の一実施例による電子鍵盤楽器において実行される特殊処理のフローチャートの一部である。
【図１３】図１３は、この発明の一実施例による電子鍵盤楽器において実行される特殊処理のフローチャートの他部である。
【図１４】図１４は、この発明の一実施例による電子鍵盤楽器において実行されるユーザ演奏入力処理のフローチャートである。
【符号の説明】
ＫＢ  鍵盤（演奏操作子）、
ＭＮ  各種設定用操作子、
ＤＰ  液晶ディスプレイ（ＬＣＤ）、
ＧＬ  運指ガイド用ランプ、
ＳＰ  スピーカ、
ＴＭ  外部インターフェース用端子、
Ａ１，Ａ２，Ｂ１，Ｂ２  同一楽曲に対する複数種類の曲データ。
【図１】
0003719141.tif 000002
【図２】
0003719141.tif 000003
【図３】
0003719141.tif 000004
【図４】
0003719141.tif 000005
【図５】
0003719141.tif 000006
【図６】
0003719141.tif 000007
【図７】
0003719141.tif 000008
【図８】
0003719141.tif 000009
【図９】
0003719141.tif 000010
【図１０】
0003719141.tif 000011
【図１１】
0003719141.tif 000012
【図１２】
0003719141.tif 000013
【図１３】
0003719141.tif 000014
【図１４】
0003719141.tif 000015